(57)【要約】【課題】外部に露出せず、ズボンの下がりを防ぐズボン用サスペンダーを提供する。【解決手段】ベース１２と、ベース１２の上部及び下部にそれぞれ突設される弾性輪部１４とを有する内部クリップ１０と、内部クリップ１０の弾性輪部１４に弾性的に結合されるように、上部及び下部にそれぞれ形成された係止溝２６を有するベース２２と、ズボンＴの上端部に支持されるための支持手段２７とを有する外部クリップ２０と、で構成される。内部クリップ１０の弾性輪部１４が外部クリップ２０の係止溝２６に弾性的に結合され、少なくとも上下一方の内部クリップ１０の弾性輪部１４及び外部クリップ２０の係止溝２６に上着Ｓが挟まれた状態で、ズボンＴを支持する。【選択図】図２
2016094691.tif 000002
【特許請求の範囲】
【請求項１】
ベースと、前記ベースの上部及び下部にそれぞれ突設される弾性輪部とを有する内部クリップと、
前記内部クリップの弾性輪部に弾性的に結合されるように、上部及び下部にそれぞれ形成された係止溝を有するベースと、ズボンの上端部に支持されるための支持手段とを有する外部クリップと、で構成され、
前記内部クリップの弾性輪部が前記外部クリップの係止溝に弾性的に結合され、少なくとも上下一方の前記内部クリップの弾性輪部及び前記外部クリップの係止溝間に上着が挟まれた状態で、前記ズボンを支持することを特徴とするズボン用サスペンダー。
【請求項２】
前記支持手段は、前記外部クリップが前記ズボンに着脱可能なように構成されることを特徴とする請求項１に記載のズボン用サスペンダー。
【請求項３】
前記支持手段は、前記外部クリップのベースと、前記ズボンを挟んで該ベースに締め付けられるスクリューとで構成されることを特徴とする請求項１又は２に記載のズボン用サスペンダー。
【請求項４】
前記支持手段は、前記外部クリップのベースと、該ベースから一定の間隔を置いて延長成形された係止アームとで構成され、前記係止アームは、前記ズボンの上端部が前記外部クリップのベースとの間に挿入された状態で、前記ズボンのベルトリングに係止されることを特徴とする請求項１又は２に記載のズボン用サスペンダー。
【請求項５】
前記内部クリップには、前記外部クリップとの解除時に前記外部クリップに弾性力を印加するための弾性部材が設けられることを特徴とする請求項１又は２に記載のズボン用サスペンダー。
【請求項６】
前記内部クリップには、肩ひもを連結するための輪を更に備えることを特徴とする請求項１又は２に記載のズボン用サスペンダー。
【請求項７】
前記上着は、前記内部クリップの上部の前記弾性輪部及び前記外部クリップの上部の前記係止溝の間に挟まれ、前記内部クリップの下部の前記弾性輪部は、前記外部クリップの下部の係止溝に係止されることを特徴とする請求項１又は２に記載のズボン用サスペンダー。
【請求項８】
前記内部クリップの弾性輪部が、互いに向かい合う方向又は互いに遠ざかる方向に延長された端部を有することを特徴とする請求項１又は２に記載のズボン用サスペンダー。
【発明の詳細な説明】
【技術分野】
【０００１】
本発明は、ズボン用サスペンダーに関し、より詳しくは、外部に露出せず、上着と連結されて支持されることにより、ズボンが下がらないようにするズボン用サスペンダーに関する。
【背景技術】
【０００２】
一般に、ズボン用サスペンダーは、身体的な理由またはベルトの使用が困難な場合、ズボンが下がらないようにするために用いられるものである。ところが、今までのサスペンダーは、上着の外部からズボンを支持するように構成されているので、外部に露出するしかないため、回避されるアイテムであった。
【０００３】
例えば、特許文献１に記載のズボンつりや、特許文献２に記載の上着と一体化されたストラップも、外部に露出してしまうという短所を有している。このように上着の外部に露出するストラップは、昔は一種のファッションアイテムと認識されていたが、現在は外部への露出という理由で、実質的な使用が回避される傾向にある。
【先行技術文献】
【特許文献】
【０００４】
【特許文献１】大韓民国実用新案公開第２０−１９９８−００１９６１６号公報
【特許文献２】大韓民国特許公開第１０−２０１４−００１１２６号公報
【発明の概要】
【発明が解決しようとする課題】
【０００５】
本発明は、上記問題点に鑑みなされたものであり、その目的は外部に露出せず、ズボンの下がりを防ぐことができるズボン用サスペンダーを提供することにある。
【０００６】
本発明の他の目的は、肩ひもを用いなくても、ズボンの下がりを防止可能なズボン用サスペンダーを提供することにあり、実質的には簡単な構造を有するズボン用サスペンダーを提供する。
【課題を解決するための手段】
【０００７】
上述した目的を達成するために、本発明によるズボン用サスペンダーは、ベースと、前記ベースの上部及び下部にそれぞれ突設される弾性輪部とを有する内部クリップと、前記内部クリップの弾性輪部に弾性的に結合されるように、上部及び下部にそれぞれ形成された係止溝を有するベースと、ズボンの上端部に支持されるための支持手段とを有する外部クリップと、で構成され、前記内部クリップの弾性輪部が前記外部クリップの係止溝に弾性的に結合され、少なくとも上下一方の前記内部クリップの弾性輪部及び外部クリップの係止溝に上着が挟まれた状態で、ズボンを支持することを特徴とする。
【０００８】
また、本発明のズボン用サスペンダーにおいて、前記支持手段は、前記外部クリップが前記ズボンに着脱可能なように構成されることを特徴とする。
【０００９】
また、本発明のズボン用サスペンダーにおいて、前記支持手段は、前記外部クリップのベースと、前記ズボンを挟んで該ベースに締め付けられるスクリューとで構成されることを特徴とする。
【００１０】
また、本発明のズボン用サスペンダーにおいて、前記支持手段は、前記外部クリップのベースと、該ベースから一定の間隔を置いて延長成形された係止アームとで構成され、前記係止アームは、前記ズボンの上端部が前記外部クリップのベースとの間に挿入された状態で、前記ズボンのベルトリングに係止されることを特徴とする。
【００１１】
また、本発明のズボン用サスペンダーにおいて、前記内部クリップには、前記外部クリップとの解除時に前記外部クリップに弾性力を印加するための弾性部材が設けられることを特徴とする。
【００１２】
また、本発明のズボン用サスペンダーにおいて、前記内部クリップには、肩ひもを連結するための輪を更に備えることを特徴とする。
【００１３】
また、本発明のズボン用サスペンダーにおいて、前記上着は、前記内部クリップの上部の前記弾性輪部及び前記外部クリップの上部の前記係止溝の間に挟まれ、前記内部クリップの下部の前記弾性輪部は、前記外部クリップの下部の係止溝に係止されることを特徴とする。
【００１４】
また、本発明のズボン用サスペンダーにおいて、前記内部クリップの弾性輪部が、互いに向かい合う方向又は互いに遠ざかる方向に延長された端部を有することを特徴とする。
【発明の効果】
【００１５】
以上の構成を有する本発明によるズボン用サスペンダーは、基本的に着用者が着ている上着の裏面においてズボンの裏面に結合されたことにより、ズボンを一定の高さにおいて支持するようになっている。従って、本発明のサスペンダーは、着用状態でも外部に露出しない特徴を有している。即ち、外部に露出せず、ズボンの下がりを防ぐことができるという長所がある。
【００１６】
また、本発明によると、実質的に上着に固定される内部クリップ及びズボンに支持される外部クリップにより、ズボンが下がらないように構成している。このとき上着とズボンが適切な高さにおいて互いに連結されて固定されるので、実質的には上着自体も上に上がることを抑制することができる。
【図面の簡単な説明】
【００１７】
【図１】本発明の実施形態によるズボン用サスペンダーを示す分解斜視図である。
【図２】本発明の実施形態によるズボン用サスペンダーの着用状態を示す縦断面図である。
【図３】本発明の他の実施形態による外部クリップを示す斜視図である。
【図４】本発明の他の実施形態によるズボン用サスペンダーを示す縦断面図である。
【発明を実施するための形態】
【００１８】
以下、添付した図面に基づき、本発明のズボン用サスペンダーについて詳述する。図１及び図２に示すように本発明によるサスペンダーは、サスペンダー着用者が着る上着（例えばワイシャツ等のシャツ）Ｓの内側に位置する内部クリップ１０と、サスペンダー着用者がはくズボンＴの上端部の内側に支持される外部クリップ２０とで構成される。また、これらの内部クリップ１０と外部クリップ２０は互いに弾性的に結合されると共に、その間に上着Ｓを固定させ、ズボンＴが下がらないように支持する。
【００１９】
内部クリップ１０は、上着Ｓの内側に位置するものであり、その上部付近に取り付けた例えば輪１８を介して肩ひもと連結されてもよい。なお、輪１８は実際には肩ひもを連結するためのものであるが、後述のように本発明のサスペンダーは、肩ひも無しにも使用可能であるので、輪１８の構成を省略してもよい。
【００２０】
内部クリップ１０は、例えば矩形プレート状のベース１２と、ベース１２の上下端にそれぞれ形成される弾性輪部１４とを有する。上下の弾性輪部１４は、それぞれの端部が内向きに互いに向かい合って湾曲形成され、外部クリップ２０の係止溝２６と弾性的に結合可能に成形される。即ち上部の弾性輪部１４と下部の弾性輪部１４とで構成される弾性輪部１４は、それぞれが外部クリップ２０の上部及び下部にそれぞれ形成される一対の係止溝２６に結合される。
【００２１】
また、ベース１２の外側面（図２に示すようにサスペンダー着用者の身体Ｂに面する側と反対側の面）には、板ばね等で構成される弾性部材１６が付設されてもよい。このような弾性部材１６は、内部クリップ１０から外部クリップ２０を解除するとき、解除方向の弾性力を付与するためのものである。
【００２２】
外部クリップ２０は、図２のようにズボンＴの上端部の内側に固定され、より好ましくはズボンＴに着脱可能に構成される。即ち、外部クリップ２０は、ズボンＴの上端部（ベルトリングＴ1が設けられる部分であり、ベルトの位置に対応する）の内側に固定され、又は着脱可能に設けられる。例えば、図２に示した実施形態では、外部クリップ２０の例えば矩形プレート状のベース２２が、ズボンＴの上端部の内側に一対の固定スクリュー２７により固定され、これらにより支持手段が構成される。なお、外部クリップ２０をズボンＴの上端部に着脱可能に固定するための構成として、更に別の実施形態を有し、これについては後述する。
【００２３】
このような外部クリップ２０は、ズボンＴの内側面に密着したベース２２の内側に突設された一対の弾性係止部２４を有し、これらの弾性係止部２４により、ベース２２との間に係止溝２６が形成されている。弾性係止部２４により形成される係止溝２６は、弾性輪部１４の内側に弾性的に結合される。即ち、係止溝２６についても、上部の係止溝２６と下部の係止溝２６とで構成される。
【００２４】
図示の実施形態において、内部クリップ１０の弾性輪部１４は、互いに向かい合う方向（上部の弾性輪部１４は下方に、下部の弾性輪部１４は上方に）にその端部がそれぞれ延長され、外部クリップ２０の係止溝２６は、外部クリップ２０のベース２２の内側において、上部及び下部にそれぞれ成形されている。従って、内部クリップ１０の一対の弾性輪部１４は、外部クリップ２０の一対の係止溝２６に弾性的に結合又は分離されるように構成される。
【００２５】
なお、内部クリップ１０の弾性輪部１４は、この場合に限定されず、係止溝２６に弾性的に結合又は分離される形状であれば、いずれの形態であってもよい。例えば、弾性輪部１４は、上記とは逆に互いに遠ざかる方向に延長された一対で構成してもよく、この場合の係止溝２６は、弾性輪部１４が弾性的に結合又は分離される形状に成形されるものでよい。
【００２６】
ここで、係止溝２６は実質的に外部クリップ２０のベース２２の上下部位又はベース２２の内側部分の上下面部位に形成され、弾性輪部１４に弾性的に結合又は分離される構成であればよく、これについても種々の変形例が可能である。
【００２７】
このような内部クリップ１０及び外部クリップ２０は、弾性変形可能な材質で成形されなければ、互いに弾性的に結合又は分離され得ない。このため例えば内部クリップ１０及び外部クリップ２０は、合成樹脂で成形されてもよく、他の例としては、弾性を有する金属板を用いて成形することも可能である。
【００２８】
次に、図２を参照して、本発明によるサスペンダーの使用について説明する。上述のように、内部クリップ１０は、上着Ｓの内側に位置する。また、内部クリップ１０は、肩ひもを用いて支持させてもよいが、この場合、肩ひもを輪１８に係止させてもよい。なお、肩ひもを用いる場合は、肩ひもの後端部は、着用者の腰部分に位置するズボンＴの内部クリップ１０に連結される。
【００２９】
あるいはまた、内部クリップ１０は、肩ひも無しに単独で用いられてもよいが、この場合、内部クリップ１０は上着Ｓの内側において適切位置に配置されるように着用者が調節する。また、外部クリップ２０は、上述のようにズボンＴの上端部の内側に固定された状態である。この状態で内部クリップ１０と外部クリップ２０を互いに結合させると、図示のように上着Ｓが内部クリップ１０と外部クリップ２０との間に挟まれた状態で結合される。
【００３０】
即ち、内部クリップ１０の弾性輪部１４が、外部クリップ２０の対応する係止溝２６に弾性的に結合される。このように内部クリップ１０と外部クリップ２０が結合された状態で、図示のようにそれらの間には上着Ｓが挟まれている。従って、ズボンＴは、上着Ｓに対して固定された適正位置を維持され、ズボンＴが下がることを防ぐことができる。
【００３１】
また、このような状態ではズボンＴの下がりを防ぐと共に、内部クリップ１０及び外部クリップ２０の間に挟まれた上着Ｓが上に上がることも防ぐ状態となっている。即ち、このように内部クリップ１０と外部クリップ２０が結合された状態では、ズボンＴ及びシャツＳは、互いに固定された状態であり、所定の高さを維持している。従って、本発明によるサスペンダーを着用すると、ズボンが下がることを防ぐのは元より、着用者が腕を挙げるような動作をし、上着Ｓが上に上がることも防ぐことができる。
【００３２】
サスペンダーのかかる着用状態を解除するためには、内部クリップ１０に力を加えて、弾性輪部１４が係止溝２６から離脱するように弾性変形させることで実施することができる。このとき内部クリップ１０のベース１２に装着された弾性部材１６は、外部クリップ２０が更に円滑に解除されるように、外部クリップ２０に対して弾性力を印加する。
【００３３】
次に、本発明において変形可能な他の実施形態について説明する。上述した実施形態では、弾性輪部１４及び係止溝２６が内部クリップ１０及び外部クリップ２０のそれぞれ上下部分に成形されているが、このような実施形態に限定されるものではない。即ち、内部クリップ１０の弾性輪部１４と外部クリップ２０の係止溝２６とは、一対が互いに締め付けられ、弾性的に結合されるものでよく、その位置及び形状については、種々の変形例が可能である。
【００３４】
また、上述した実施形態において外部クリップ２２は図２のように、スクリュー２７を用いてズボンＴに固定されるように構成されている。これに限定されるものではなく、例えばズボンＴの上端部の内側に着脱可能に装着されてもよく、例えばばねを用いたニッパー構造を有するようにしてもよい。また、例えば外部クリップ２０の内側に止めピンを設け、ズボンＴの上端部の内側に挟まれるように、外部クリップ２０をズボンＴの上端部の内側に固定することも可能である。
【００３５】
また本発明の他の実施形態とおいて、外部クリップ２０をズボンＴのベルトリングＴ1（図３参照）を利用してこれに着脱可能に構成してもよい。一般に、ズボンＴにはベルトを通すためのベルトリングＴ1が全周にわたって複数個設けられているが、このようなベルトリングＴ1を利用してズボンＴに着脱可能に構成してもよい。
【００３６】
例えば、図３に示した実施形態によるサスペンダーでは、ベース２２Ａの上端面と下端面には、上述した内部クリップ１０の弾性輪部１４の端部が弾性的に結合可能な係止溝２６Ａが成形されると共に、ズボンＴのベルトリングＴ1に係止される係止アーム２８が成形されている。係止アーム２８は、ベース２２Ａとの間に一定の間隔を有し、ベース２２Ａの一端部から延長成形され、これらにより支持手段が構成される。図３の図示例のように係止アーム２８の右上の角部２８ａにてベース２２Ａと結合する。係止アーム２８は、ズボンＴの上端部の外側にて適宜直近のベルトリングＴ1に挿入される。この場合、ベース２２Ａと係止アーム２８との間に形成される間隔にズボンＴの上端部が差し込まれると共に、係止アーム２８がズボンＴのベルトリングＴ1に挿入される。
【００３７】
また、内部クリップ１０の弾性輪部１４が係止溝２６に弾性的に結合された状態で、ズボンＴのベルトリングＴ1に係止アーム２８が挿入されることで、ズボンＴは弾性輪部１４により下がることが防止される。
【００３８】
この実施形態によると、内部クリップ１０が上着Ｓの内部に入った状態で、上着を挟んで、外部クリップ２０と弾性的に結合されるようになっている。なお、本発明は、内部クリップ１０を上着Ｓの内部に位置させた状態で、外部クリップ２０と結合される場合にのみ限定されるものではない。
【００３９】
例えば、内部クリップ１０を上着Ｓの下端部に位置させながら、外部クリップ２０との間において上着Ｓを挟持させることも可能である。このような実施形態を示した図４を参考して説明すると、内部クリップ１０は、上部の弾性輪部１４ａと下部の弾性輪部１４ｂを有する。また、外部クリップ２０は、上部の弾性輪部１４ａが弾性的に結合される上部の係止溝２６ａと、下部の弾性輪部１４ｂが弾性的に結合される下部の係止溝２６ｂとを有している。
【００４０】
この場合、下部の弾性輪部１４ｂは、下部の係止溝２６ｂに結合された状態のみを維持する機能を有している。また、上部の弾性輪部１４ａと上部の係止溝２６ａとの間においてのみ、上着Ｓの一部を挟持するようになっている。即ち、この実施形態では、内部クリップ１０と外部クリップ２０のそれぞれ上部の弾性輪部１４ａ及び上部の係止溝２６ａのみを用いて、上着Ｓに支持される。このとき外部クリップ２０が、ズボンＴに固定されていることで、実質的にズボンＴが下がらないように支持される。
【００４１】
この実施形態において、上着Ｓは上部の弾性輪部１４ａ及び上部の係止溝２６ａとの間でのみ挟まれるが、この例では更に、実質的に内部クリップ１０を上着Ｓの内側に位置させなかった状態でも、上着Ｓに支持されることを意味する。例えば、内部クリップ１０を上着Ｓの外側に位置させた状態で上着Ｓの一部を折り畳み、その折畳み部分を内部クリップ１０の上部の弾性輪部１４ａと外部クリップ２０の上部の係止溝２６ａとの間に挟み込むことができる。この場合も、外部クリップ２０は、ズボンＴの内側面で支持されているので、本発明のサスペンダーが外部に露出することを防ぐことができる。
【００４２】
また、この実施形態において、下部の弾性輪部１４ｂは、下部の係止溝２６ｂに結合された状態で、内部クリップ１０が外部クリップ２０に対して分離されずに支持されることを意味する。即ち、下部の弾性輪部１４ｂと下部の係止溝２６ｂは、内部クリップ１０と外部クリップ２０が互いに結合され、この状態を維持する機能、例えばヒンジ点としての機能を有する。従って、本例において、下部の弾性輪部１４ｂと下部の係止溝２６ｂは、外力により分離され難い範囲内で、様々な形態変形が可能である。
【００４３】
例えば、下部の係止溝２６ｂをダブテール状の断面を有する溝状に成形し（あり継ぎ構造）、下部の弾性輪部１４ｂを、それに相応するダブテール状の断面の突起に成形してもよい。この場合、下部の弾性輪部１４ｂは、側面から下部の係止溝２６ｂに摺動挿入される必要があり、このように挿入された状態で、上部の弾性輪部１４ａと上部の係止溝２６ａとの間に上着Ｓが挿入されることとなる。
【００４４】
上述したように本発明は、外部に露出しないように、内部クリップ１０と外部クリップ２０との間に上着Ｓを挟んで結合することにより、ズボンＴの下がりを防止することを基本的な技術思想とする。このような本発明の基本的な技術思想の範疇内で、当業界における通常の技術者にとって、他の様々な変形が可能であることはもとより、本発明の保護範囲は、添付の特許請求の範囲に基づいて解釈されなければならない。
【符号の説明】
【００４５】
１０    内部クリップ
１２    ベース
１４    弾性輪部
１６    弾性部材
１８    輪
２０    外部クリップ
２２    ベース
２４    弾性係止部
２６    係止溝
２８    係止アーム
【図１】
2016094691.tif 000003
【図２】
2016094691.tif 000004
【図３】
2016094691.tif 000005
【図４】
2016094691.tif 000006